(57)【要約】【課題】  投球機の成形が容易にできるようにし、また、投球機による投球方向の精度を向上させる。【解決手段】  投球機１が、グランド３上に設置可能とされる支持体４と、互いに平行な各軸心５回りにそれぞれ回転可能となるよう支持体４に支承される一対の回転軸６，６と、これら各回転軸６とそれぞれ同じ軸心５上でこれら各回転軸６に固定される一対の回転輪７，７とを備える。互いに逆回転Ｃ，Ｄする両回転輪７，７の両外周面１０，１０の間に供給された球２がこれら両外周面１０，１０に挟まれて加速され、外方に向かって投球される。支持体４が、グランド３上に設置可能とされる支持体本体１５と、この支持体本体１５に支持され、直線的に延びると共にその長手方向に直交する方向に各回転軸６をそれぞれ貫通させた状態でこれら各回転軸６を支承する支持パイプ１６とを備える。【選択図】    図１
2005185757.tif 000002
【特許請求の範囲】
【請求項１】
グランド上に設置可能とされる支持体と、互いに平行な各軸心回りにそれぞれ回転可能となるよう上記支持体に支承される一対の回転軸と、これら各回転軸とそれぞれ同じ軸心上でこれら各回転軸に固定される一対の回転輪と、上記支持体に支持されて上記両回転輪を回転駆動可能とさせる電動機と、この電動機に上記両回転輪を連動連結させる連動手段とを備え、上記電動機の駆動に連動して上記連動手段と各回転軸とを介し上記両回転輪が互いに逆回転し、これら両回転輪の両外周面の間に供給された球がこれら両外周面に挟まれて加速され、外方に向かって投球されるようにした投球機において、
上記支持体が、グランド上に設置可能とされる支持体本体と、この支持体本体に支持され、直線的に延びると共にその長手方向に直交する方向に上記各回転軸をそれぞれ貫通させた状態でこれら各回転軸を支承する支持パイプとを備えたことを特徴とする投球機。
【請求項２】
上記電動機を上記支持パイプに支持させたことを特徴とする請求項１に記載の投球機。
【請求項３】
上記連動手段を上記支持パイプの外部に配置したことを特徴とする請求項１、もしくは２に記載の投球機。
【請求項４】
上記支持パイプの長手方向各部の断面形状を互いに同形同大の矩形としたことを特徴とする請求項１から３のうちいずれか１つに記載の投球機。
【請求項５】
上記支持体本体が、グランド上に設置可能とされる架台と、この架台から上方に向かい突設される支柱と、この支柱に対し軸心回りに回動可能となるよう上記支持パイプを枢支させる枢支軸とを備え、上記支持パイプと上記枢支軸の軸心とを立体的に互いに直交させたことを特徴とする請求項１から４のうちいずれか１つに記載の投球機。
【発明の詳細な説明】
【技術分野】
【０００１】
本発明は、野球やソフトボールの打撃練習や捕球練習等に用いられる投球機であって、互いに逆回転する両回転輪の両外周面に球を挟んで加速させることにより、この球を投球可能とした投球機に関し、より詳しくは、上記両回転輪を支承する支持体の構造に関するものである。
【背景技術】
【０００２】
上記投球機には、従来、下記特許文献１に示されたものがある。この公報のものによれば、投球機は、グランド上に設置可能とされる支持体と、互いに平行な各軸心回りにそれぞれ回転可能となるよう上記支持体に支承される一対の回転軸と、これら各回転軸とそれぞれ同じ軸心上でこれら各回転軸に固定されこれら各回転軸の径方向に並設される一対の回転輪と、上記支持体に支持されて上記両回転輪を回転駆動可能とさせる電動機と、この電動機に上記両回転輪を連動連結させる連動手段とを備えている。また、上記支持体は、グランド上に設置可能とされる台車である支持体本体と、この支持体本体の上面に支持され板金製で箱形状をなして上記各回転軸を支承すると共に、上記連動手段を収容する支持箱体とを備えている。
【０００３】
上記投球機に投球動作をさせようとして、上記電動機を駆動させると、この電動機の駆動に連動して上記連動手段と各回転軸とを介し上記両回転輪が互いに逆回転する。そして、これら両回転輪の両外周面の間に供給された球がこれら両外周面に挟まれて加速され、外方に向かって投球されるようになっている。
【０００４】
【特許文献１】特開２００１−２１８８８３号公報
【発明の開示】
【発明が解決しようとする課題】
【０００５】
ところで、上記従来の技術における支持箱体は板金製であって、その成形作業は煩雑である。また、上記連動手段は上記支持箱体の内部空間に収容されており、この内部空間は狭いものであり、このため、上記投球機の組立時における上記各回転軸や電動機への上記連動手段の組み付け作業が煩雑となりがちである。よって、上記投球機の成形作業が全体として煩雑となっている。
【０００６】
一方、上記支持箱体の剛性を十分に確保しようとすれば、板金材料の板厚を大きくしたり、補強材を設けることが考えられる。しかし、このようにすると、上記支持箱体が重くなって、投球機が重くなるため、この投球機の移動など取り扱いが煩雑になる。
【０００７】
そこで、従来では、上記支持箱体を軽量に保つことに主眼が置かれている。しかし、この場合には、支持箱体の剛性が不十分になるおそれがあって、次の不都合が生じる。即ち、上記投球機の投球動作において、上記両回転輪の両外周面に球が挟まれるとき、この球から上記各回転輪を介し上記各回転軸に大きい反力が与えられる。すると、これら各回転軸を支承している上記支持箱体が上記反力により撓むおそれを生じ、このような撓みが生じると、投球方向の精度が低下する。
【課題を解決するための手段】
【０００８】
本発明は、上記のような事情に注目してなされたもので、本発明の目的は、投球機の成形が容易にできるようにすることである。
【０００９】
また、本発明の他の目的は、投球機による投球方向の精度を向上させることである。
【００１０】
請求項１の発明は、グランド３上に設置可能とされる支持体４と、互いに平行な各軸心５回りにそれぞれ回転可能となるよう上記支持体４に支承される一対の回転軸６，６と、これら各回転軸６とそれぞれ同じ軸心５上でこれら各回転軸６に固定される一対の回転輪７，７と、上記支持体４に支持されて上記両回転輪７，７を回転駆動可能とさせる電動機８と、この電動機８に上記両回転輪７，７を連動連結させる連動手段９とを備え、上記電動機８の駆動に連動して上記連動手段９と各回転軸６とを介し上記両回転輪７，７が互いに逆回転Ｃ，Ｄし、これら両回転輪７，７の両外周面１０，１０の間に供給された球２がこれら両外周面１０，１０に挟まれて加速され、外方に向かって投球されるようにした投球機において、
上記支持体４が、グランド３上に設置可能とされる支持体本体１５と、この支持体本体１５に支持され、直線的に延びると共にその長手方向に直交する方向に上記各回転軸６をそれぞれ貫通させた状態でこれら各回転軸６を支承する支持パイプ１６とを備えたものである。
【００１１】
請求項２の発明は、請求項１の発明に加えて、上記電動機８を上記支持パイプ１６に支持させたものである。
【００１２】
請求項３の発明は、請求項１、もしくは２の発明に加えて、上記連動手段９を上記支持パイプ１６の外部に配置したものである。
【００１３】
請求項４の発明は、請求項１から３のうちいずれか１つの発明に加えて、上記支持パイプ１６の長手方向各部の断面形状を互いに同形同大の矩形としたものである。
【００１４】
請求項５の発明は、請求項１から４のうちいずれか１つの発明に加えて、上記支持体本体１５が、グランド３上に設置可能とされる架台１７と、この架台１７から上方に向かい突設される支柱１８，１９と、この支柱１８，１９に対し軸心４３回りに回動可能となるよう上記支持パイプ１６を枢支させる枢支軸４４とを備え、上記支持パイプ１６と上記枢支軸４４の軸心４３とを立体的に互いに直交させたものである。
【００１５】
なお、この項において、上記各用語に付記した符号は、本発明の技術的範囲を後述の「実施例」の項の内容に限定解釈するものではない。
【発明の効果】
【００１６】
本発明による効果は、次の如くである。
【００１７】
請求項１の発明は、グランド上に設置可能とされる支持体と、互いに平行な各軸心回りにそれぞれ回転可能となるよう上記支持体に支承される一対の回転軸と、これら各回転軸とそれぞれ同じ軸心上でこれら各回転軸に固定される一対の回転輪と、上記支持体に支持されて上記両回転輪を回転駆動可能とさせる電動機と、この電動機に上記両回転輪を連動連結させる連動手段とを備え、上記電動機の駆動に連動して上記連動手段と各回転軸とを介し上記両回転輪が互いに逆回転し、これら両回転輪の両外周面の間に供給された球がこれら両外周面に挟まれて加速され、外方に向かって投球されるようにした投球機において、
上記支持体が、グランド上に設置可能とされる支持体本体と、この支持体本体に支持され、直線的に延びると共にその長手方向に直交する方向に上記各回転軸をそれぞれ貫通させた状態でこれら各回転軸を支承する支持パイプとを備えている。
【００１８】
このため、上記各回転軸を介して各回転輪を支承するという支持体の主要部が、支持パイプという単純な構造の部品で構成されており、このような支持パイプの成形は容易にできることから、投球機の成形が容易にできる。
【００１９】
しかも、上記各回転軸は上記支持パイプを貫通してこの支持パイプに支承されているため、上記各回転軸をより直接的に上記支持パイプに支承させることができ、つまり、上記各回転軸を支持パイプに支承させる場合に、ブラケットなど別途の大形部品が不要である分、上記投球機の構成が簡単となって、その成形がより容易にできる。
【００２０】
また、上記支持パイプは強度と剛性が大きい構造のものであり、また、上記したように各回転軸は上記支持パイプに対しより直接的に支承されているため、上記各回転軸は支持パイプに対し大きい強度で支持される。よって、投球機の投球動作において、上記両回転輪の両外周面に挟まれた球から上記各回転輪を介し各回転軸に大きい反力が与えられるときでも、これら各回転軸を支承している上記支持パイプに撓みの生じることが防止され、このため、投球機による投球方向の精度が向上する。
【００２１】
更に、上記各回転軸は上記支持パイプを貫通しているため、上記各回転軸の少なくとも一部分はその外方から上記支持パイプにより覆われることとなって、上記各回転軸が外部に露出するということが抑制される。よって、その分、上記各回転軸は、外観上、容易には見え難くなることから、投球機の見栄えが向上すると共に安全性の点でも有益である。
【００２２】
請求項２の発明は、上記電動機を上記支持パイプに支持させてある。
【００２３】
このため、上記各回転軸、各回転輪、電動機、連動手段、および支持パイプが一つの組立体となり、投球機の成形時には、この組立体を独立に組み立てた後、この組立体を上記支持体本体に組み付けることができる。しかも、上記したように、各回転軸は上記支持パイプを貫通してこの支持パイプに支承されていることから、これら各回転軸と支持パイプとは互いにコンパクトな構造であり、これに伴い、上記組立体もコンパクトな構造となることから、この組立体の上記支持体本体への組み付けが更に容易となる。よって、上記投球機の成形が更に容易にできる。
【００２４】
請求項３の発明は、上記連動手段を上記支持パイプの外部に配置してある。
【００２５】
このため、上記連動手段が支持パイプの内部空間に収容されていることに比べて、上記各回転軸と電動機への上記連動手段の組み付け作業が容易にでき、よって、投球機の成形がより容易にできる。
【００２６】
請求項４の発明は、上記支持パイプの長手方向各部の断面形状を互いに同形同大の矩形としてある。
【００２７】
このため、上記支持パイプに対し各回転軸や電動機を支持させるとき、上記支持パイプを構成する各壁の平坦面に上記支持ができるため、この支持構造が簡単となり、その分、投球機の成形が更に容易にできる。
【００２８】
請求項５の発明は、上記支持体本体が、グランド上に設置可能とされる架台と、この架台から上方に向かい突設される支柱と、この支柱に対し軸心回りに回動可能となるよう上記支持パイプを枢支させる枢支軸とを備え、上記支持パイプと上記枢支軸の軸心とを立体的に互いに直交させてある。
【００２９】
このため、上記軸心回りの所望位置まで、上記両回転輪を伴って上記支持パイプを回動させれば、球の投球方向を所望の方向にできる。
【００３０】
また、上記したように、支持パイプと枢支軸の軸心とを互いに立体的に直交させたことから、仮に、これら支持パイプと枢支軸の軸心とが互いに離反していて、これら支持パイプと枢支軸とを互いに結合させる別途の結合材を設けることが必要とされる場合に比べて、上記支柱への上記枢支軸による支持パイプの枢支、つまり、支持体本体への支持パイプの枢支が、より直接的にできる。
【００３１】
よって、第１に、投球機の構成が簡単となって、その成形がより容易にできる。また、第２に、支持体本体への支持パイプの枢支を強固にできて、支持体本体への支持パイプの支持強度が向上し、投球機による投球の精度が向上する。
【発明を実施するための最良の形態】
【００３２】
本発明の投球機に関し、投球機の成形が容易にできるようにすることである。
【００３３】
また、本発明の他の目的は、投球機による投球方向の精度を向上させるようにする、という目的を実現するため、本発明を実施するための最良の形態は、次の如くである。
【００３４】
即ち、投球機は、グランド上に設置可能とされる支持体と、互いに平行な各軸心回りにそれぞれ回転可能となるよう上記支持体に支承される一対の回転軸と、これら各回転軸とそれぞれ同じ軸心上でこれら各回転軸に固定されこれら各回転軸の径方向に並設される一対の回転輪と、上記支持体に支持されて上記両回転輪を回転駆動可能とさせる電動機と、この電動機に上記両回転輪を連動連結させる連動手段とを備えている。そして、上記電動機の駆動に連動して上記連動手段と各回転軸とを介し上記両回転輪が互いに逆回転し、これら両回転輪の両外周面の間に供給された球がこれら両外周面に挟まれて加速され、外方に向かって投球される。
【００３５】
上記支持体は、グランド上に設置可能とされる支持体本体と、上記支持体本体に支持され、直線的に延びると共にその長手方向に直交する方向に上記各回転軸をそれぞれ貫通させた状態でこれら各回転軸を支承する支持パイプとを備え、この支持パイプはその長手方向各部の断面形状が互いに同形同大の矩形とされている。
【実施例１】
【００３６】
本発明をより詳細に説明するために、その実施例１を添付の図１―３に従って説明する。
【００３７】
図１―３において、符号１は投球機で、図中矢印Ｆｒは、この投球機１による球２の投球方向の前方を示している。上記投球機１は野球や、ソフトボール等の球技の打撃練習や捕球練習等の球技練習に用いられるものである。
【００３８】
上記投球機１は、球技練習用のグランド３上に設置可能とされる支持体４と、互いに平行な各軸心５回りにそれぞれ回転可能となるよう上記支持体４に支承される一対の回転軸６，６と、これら各回転軸６，６とそれぞれ同じ軸心５，５上でこれら各回転軸６に固定されこれら各回転軸６の径方向に並設される一対の回転輪７，７と、上記支持体４に支持されて上記両回転輪７，７を回転駆動可能とさせる電動機８と、この電動機８に上記両回転軸６，６を介し両回転輪７，７を連動連結させる連動手段９と、上記支持体４に支持されて上記両回転輪７，７の両外周面１０，１０の間の空間１１に球２を供給可能とさせるシュート１２とを備えている。
【００３９】
上記支持体４は、上記グランド３上に設置可能とされる支持体本体１５と、この支持体本体１５に支持されて上記各回転軸６をそれぞれ支承する支持パイプ１６とを備えている。上記支持体本体１５は、上記グランド３上に設置可能とされて任意位置にまで移動可能とされる台車である架台１７と、この架台１７から上方に向かい突設される一対の前、後支柱１８，１９と、上記架台１７の後端部から上方に向かい突設される手押し部２０とを備え、上記後支柱１９は上記架台１７に対し締結具により着脱可能に固着されている。
【００４０】
上記支持パイプ１６は、縦方向に直線的に延び、その長手方向の各部の断面形状が互いに同形同大の矩形状とされ、より具体的には、上記支持パイプ１６の断面は正方形状とされて、この支持パイプ１６は金属製角パイプとされ、この支持パイプ１６は通常規格の市販品とされている。
【００４１】
上記支持パイプ１６の下端部は、上記前支柱１８の上端部に対し左右に延びる軸心２３を有する枢支軸２４により枢支されている。そして、上記支持パイプ１６は上記軸心２３を中心として後下方に向かって往、復回動Ａ，Ｂ可能となるよう上記前支柱１８の上端部に枢支されている。上記支持パイプ１６の上下方向の中途部から後方に向かって支持アーム２５が突設され、この支持アーム２５の突出端部を上記後支柱１９の上端部に支持させるねじジャッキ式のジャッキボルト２６が設けられている。
【００４２】
上記支持パイプ１６は、上記枢支軸２４、支持アーム２５、およびジャッキボルト２６により上記支持体本体１５に支持され、これにより、上記支持パイプ１６は縦方向に延びる起立姿勢となるよう保持されている。上記ジャッキボルト２６を捻回操作すれば、上記投球機１の側面視（図１）で、上記支持パイプ１６は任意の傾斜角に傾斜可能とされる。
【００４３】
上記支持パイプ１６は、その長手方向に直交する方向で互いに対面する一対の第１対面壁１６ａ，１６ａと、これら第１対面壁１６ａ，１６ａの幅方向の各端縁部同士を一体的に結合する一対の第２対面壁１６ｂ，１６ｂとを備え、上記第１対面壁１６ａ，１６ａは前後方向で互いに対面するよう配置され、上記第２対面壁１６ｂ，１６ｂは左右で互いに対面するよう配置されている。
【００４４】
上記各回転軸６は互いに上下に配置され、これら各回転軸６は上記第１対面壁１６ａの幅方向に延びて上記各第２対面壁１６ｂ，１６ｂをそれぞれ直交するよう貫通し、これら各第２対面壁１６ｂ，１６ｂに対しそれぞれ軸受２９により両持ち支持されている。
【００４５】
上記両回転輪７，７は、上記支持パイプ１６の一側外方（右側外方）で互いに上下に配置され、上記各回転軸６の各一端部に固定されている。また、上記連動手段９は、上記支持パイプ１６の他側外方（左側外方）に配置され、上記連動手段９は上記各回転軸６の各他端部に固定される従動プーリ３１と、上記電動機８の出力軸に固定される駆動プーリ３２と、上記支持パイプ１６に支承されるアイドルプーリ３３およびテンションプーリ３４と、これら各プーリ３１―３４に巻き掛けられる無端帯３５と、上記各従動プーリ３１、アイドルプーリ３３、テンションプーリ３４、および無端帯３５のほぼ全体をその外方から覆うカバー体３６とを備えている。
【００４６】
上記投球機１に投球動作をさせようとして、上記電動機８を駆動させると、上記電動機８の駆動に連動して上記連動手段９と各回転軸６とを介し上記両回転輪７，７が互いに逆回転Ｃ，Ｄし、これら両回転輪７，７の両外周面１０，１０の間に上記シュート１２を通して供給された球２がこれら両外周面１０，１０に挟まれて加速され、外方の所望方向に向かって投球されるようになっている。
【００４７】
上記の場合、ジャッキボルト２６を捻回操作して上記支持パイプ１６の傾斜角を変化させれば、これに伴い、上記両回転輪７，７による投球方向が可変とされる。また、上記各回転輪７の回転速度は可変とされている。
【００４８】
上記投球機１の不使用時や運搬時には、上記架台１７から後支柱１９を取り外して、上記支持パイプ１６を各回転輪７と共に上記軸心２３回りに往回動Ａさせれば、上記各回転軸６、各回転輪７、電動機８、連動手段９、および支持パイプ１６が一つの組立体３８として、上記前支柱１８と手押し部２０とで挟まれた空間に収容され（図１中一点鎖線）、投球機１をコンパクトにさせることができる。
【００４９】
上記構成によれば、支持体４が、グランド３上に設置可能とされる支持体本体１５と、この支持体本体１５に支持され、直線的に延びると共にその長手方向に直交する方向に上記各回転軸６をそれぞれ貫通させた状態でこれら各回転軸６を支承する支持パイプ１６とを備えている。
【００５０】
このため、上記各回転軸６を介して各回転輪７を支承するという支持体４の主要部が、支持パイプ１６という単純な構造の部品で構成されており、このような支持パイプ１６の成形は容易にできることから、投球機１の成形が容易にできる。
【００５１】
しかも、上記各回転軸６は上記支持パイプ１６を貫通してこの支持パイプ１６に支承されているため、上記各回転軸６をより直接的に上記支持パイプ１６に支承させることができ、つまり、上記各回転軸６を支持パイプ１６に支承させる場合に、ブラケットなど別途の大形部品が不要である分、上記投球機１の構成が簡単となって、その成形がより容易にできる。
【００５２】
また、上記支持パイプ１６は強度と剛性が大きい構造のものであり、また、上記したように各回転軸６は上記支持パイプ１６に対しより直接的に支承されているため、上記各回転軸６は支持パイプ１６に対し大きい強度で支持される。よって、投球機１の投球動作において、上記両回転輪７，７の両外周面１０，１０に挟まれた球２から上記各回転輪７を介し各回転軸６に大きい反力が与えられるときでも、これら各回転軸６を支承している上記支持パイプ１６に撓みの生じることが防止され、このため、投球機１による投球方向の精度が向上する。
【００５３】
更に、上記各回転軸６は上記支持パイプ１６を貫通しているため、上記各回転軸６の少なくとも一部分はその外方から上記支持パイプ１６により覆われることとなって、上記各回転軸６が外部に露出するということが抑制される。よって、その分、上記各回転軸６は、外観上、容易には見え難くなることから、投球機１の見栄えが向上すると共に安全性の点でも有益である。
【００５４】
また、前記したように、電動機８を上記支持パイプ１６に支持させてある。
【００５５】
このため、上記各回転軸６、各回転輪７、電動機８、連動手段９、および支持パイプ１６が一つの組立体３８となり、投球機１の成形時には、この組立体３８を独立に組み立てた後、この組立体３８を上記支持体本体１５に組み付けることができる。しかも、上記したように、各回転軸６は上記支持パイプ１６を貫通してこの支持パイプ１６に支承されていることから、これら各回転軸６と支持パイプ１６とは互いにコンパクトな構造であり、これに伴い、上記組立体３８もコンパクトな構造となることから、この組立体３８の上記支持体本体１５への組み付けが更に容易となる。よって、上記投球機１の成形が更に容易にできる。
【００５６】
また、前記したように、連動手段９を上記支持パイプ１６の外部に配置してある。
【００５７】
このため、上記連動手段９が支持パイプ１６の内部空間に収容されていることに比べて、上記各回転軸６と電動機８への上記連動手段９の組み付け作業が容易にでき、よって、投球機１の成形がより容易にできる。
【００５８】
また、前記したように、支持パイプ１６の長手方向各部の断面形状を互いに同形同大の矩形としてある。
【００５９】
このため、上記支持パイプ１６に対し各回転軸６や電動機８を支持させるとき、上記支持パイプ１６を構成する各壁の平坦面に上記支持ができるため、この支持構造が簡単となり、その分、投球機１の成形が更に容易にできる。
【００６０】
なお、以上は図示の例によるが、上記支持体４はグランド３上に固定式のものであってもよい。また、上記支持パイプ１６は円形パイプであってもよい。
【００６１】
下記する図４―６は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００６２】
本発明をより詳細に説明するために、その実施例２を添付の図４に従って説明する。
【００６３】
図４において、上記組立体３８を前後一対設け、これら組立体３８，３８を連結具４０により互いに着脱可能に固着させてある。このようにすれば、４つの回転輪７を有する投球機１の成形が容易にできる。この場合、前後組立体３８，３８のうち、前側の組立体３８の各回転輪７，７の回転速度を後側の組立体３８のそれよりも大きくすれば、高速の投球が円滑にできる。なお、上記連結具４０は上下一対設けてもよい。
【実施例３】
【００６４】
本発明をより詳細に説明するために、その実施例３を添付の図５，６に従って説明する。
【００６５】
図５，６において、上記支持体本体１５の架台１７は、グランド３上に設置される台車４１と、この台車４１上に支持される油圧式の昇降台４２とを備えている。この昇降台４２上に前、後支柱１８，１９が支持され、これら前、後支柱１８，１９の各上端部にほぼ水平で前後方向に延びる軸心４３を有する枢支軸４４が架設され、この枢支軸４４はその軸心４３回りに回動可能となるよう上記前、後支柱１８，１９の各上端部に枢支されている。また、上記枢支軸４４を軸心４３回りの所望回動位置で上記前、後支柱１８，１９に固定可能とさせる締結具など不図示の固定具が設けられている。
【００６６】
上記支持パイプ１６は左右方向に延びてその長手方向の中央部と、前後方向に延びる上記枢支軸４４の軸心４３とは側面視（図５）かつ平面視（図６）でそれぞれ互いに直交し、つまり、立体的に互いに直交している。また、この状態で、上記支持パイプ１６が上記枢支軸４４により上記前、後支柱１８，１９に枢支されている。より具体的には、上記枢支軸４４はその軸方向の中途部が分断されて、その各分断端部が上記支持パイプ１６の前、後各外側面に直接に固着されている。なお、上記枢支軸４４を一本の軸で構成し、この枢支軸４４の軸方向の中途部を上記支持パイプ１６に貫通させてもよい。そして、上記各回転軸６は左右に並設されて、それぞれ上記支持パイプ１６をほぼ鉛直方向で貫通している。
【００６７】
上記支持パイプ１６に支持されて上記各回転輪７をそれぞれ個別に回転駆動可能とさせる一対の電動機８，８と一対の連動手段９，９が設けられ、これら各電動機８に上記各回転軸６がそれぞれ連動手段９により連動連結されている。上記各電動機８の制御により各回転輪７の回転速度がそれぞれ可変とされ、かつ、両回転輪７，７の回転速度が互いに相違可能とされている。
【００６８】
上記支持パイプ１６は各回転輪７と共に上記昇降台４２により昇降可能とされている。また、上記後支柱１９は油圧式により伸縮可能とされ、この伸縮により、支持パイプ１６、各回転軸６、および各回転輪７が所望角まで傾斜可能とされている。
【００６９】
上記構成によれば、支持体本体１５が、グランド３上に設置可能とされる架台１７と、この架台１７から上方に向かい突設される支柱１８，１９と、この支柱１８，１９に対し軸心４３回りに回動可能となるよう上記支持パイプ１６を枢支させる枢支軸４４とを備え、上記支持パイプ１６と上記枢支軸４４の軸心４３とを立体的に互いに直交させてある。
【００７０】
このため、上記軸心４３回りの所望位置まで、上記両回転輪７，７を伴って上記支持パイプ１６を回動させ、また、昇降台４２や後支柱１９を所望高さまで昇降させれば、球２の投球方向を所望の方向にでき、また、上記両回転輪７，７の回転速度を互いに相違させて上記球２に回転を与えれば、所望の球種による投球が得られる。
【００７１】
また、上記したように、支持パイプ１６と枢支軸４４の軸心４３とを互いに立体的に直交させたことから、仮に、これら支持パイプ１６と枢支軸４４の軸心４３とが互いに離反していて、これら支持パイプ１６と枢支軸４４とを互いに結合させる別途の結合材を設けることが必要となる場合に比べて、上記支柱１８，１９への上記枢支軸４４による支持パイプ１６の枢支、つまり、支持体本体１５への支持パイプ１６の枢支が、より直接的にできる。
【００７２】
よって、第１に、投球機１の構成が簡単となって、その成形がより容易にできる。また、第２に、支持体本体１５への支持パイプ１６の枢支を強固にできて、支持体本体１５への支持パイプ１６の支持強度が向上し、投球機１による投球の精度が向上する。
【図面の簡単な説明】
【００７３】
【図１】実施例１を示し、全体側面図である。
【図２】実施例１を示し、全体正面図である。
【図３】実施例１を示し、図１の３‐３線矢視部分断面図である。
【図４】実施例２を示し、図１の部分拡大図に相当する部分破断図である。
【図５】実施例３を示し、図１に相当する全体側面図である。
【図６】実施例３を示し、図５の６‐６線矢視図である。
【符号の説明】
【００７４】
１    投球機
２    球
３    グランド
４    支持体
５    軸心
６    回転軸
７    回転輪
８    電動機
９    連動手段
１０  外周面
１１  空間
１２  シュート
１５  支持体本体
１６  支持パイプ
１６ａ  第１対面壁
１６ｂ  第２対面壁
１７  台車
１８  支柱
１９  支柱
２０  手押し部
３８  組立体
４３  軸心
４４  枢支軸
Ａ    往回動
Ｂ    復回動
Ｃ    逆回転
Ｄ    逆回転
【図１】
2005185757.tif 000003
【図２】
2005185757.tif 000004
【図３】
2005185757.tif 000005
【図４】
2005185757.tif 000006
【図５】
2005185757.tif 000007
【図６】
2005185757.tif 000008